(57)【要約】【課題】外観や照明効果を自在に変化させることができ、光源の交換作業を容易に行える行灯を提供する。【解決手段】行灯１は、光源２と、光源２が交換可能に設置される土台３と、光源２の周囲を覆うように土台３の上に設けられる囲い４とを備える。囲い４は、土台３の上に設けられる箱形の外枠１０と、外枠１０の内側に設けられる箱形の内枠２０と、内枠２０の前後左右の枠内に取り付けられる二種以上の透光パネル２５ａ，２５ｂとを備えている。囲い４の使用時には、外枠１０の上方から内枠２０，２０が着脱可能に落とし込まれることにより、外枠１０の高さ方向に内枠２０，２０が透光パネル２５ａ，２５ｂと一体となって並ぶ。【選択図】図１
2015122206.tif 000002
【特許請求の範囲】
【請求項１】
光源と、
前記光源が交換可能に設置される土台と、
前記光源の周囲を覆うように前記土台の上に設けられる囲いとを備えた行灯であって、
前記囲いは、
前記土台の上に設けられる箱形の外枠と、
前記外枠の内側に設けられる箱形の内枠と、
前記内枠の前後左右の枠内に取り付けられる二種以上の透光パネルとを備え、
前記囲いの使用時には、前記外枠の上方から複数の前記内枠が着脱可能に落とし込まれることにより、前記外枠の高さ方向に前記内枠が前記透光パネルと一体となって並ぶように構成される、行灯。
【請求項２】
請求項１記載の行灯であって、
前記外枠の所定の高さ位置に内向きに組み込まれる外側磁石と、
前記内枠の所定の高さ位置に外向きに組み込まれる内側磁石とを備え、
前記外枠の上方から前記内枠が落とし込まれるとき、前記外側磁石と前記内側磁石との間に作用する磁力によって前記外枠の内側に前記内枠が浮上状態で支持される、行灯。
【請求項３】
請求項１記載の行灯であって、
前記外枠の所定の高さ位置に内向きに組み込まれる外側磁石と、
前記内枠の所定の高さ位置に外向きに組み込まれる内側磁石とを備え、
前記外枠の内側に前記内枠が落とし込まれるとき、前記外枠に対して前記内枠が基本位置にある場合には、前記外側磁石と前記内側磁石との間に作用する磁力によって前記外枠の内側に前記内枠が浮上状態で支持される一方、前記内枠が基本位置から前記囲いの中心軸周りに所定の角度だけ回転した変位位置にある場合には、前記外枠の内側に前記内枠が重力によって積載状態で支持される、行灯。
【発明の詳細な説明】
【技術分野】
【０００１】
この発明は、和室などの室内照明に用いられる行灯に関するものである。
【背景技術】
【０００２】
従来、和風照明器具の一種として行灯が知られている。行灯の一般的な構成は、電球などの光源と、光源を設置する土台と、土台の上方で光源の周囲を覆う囲いとからなっている。囲いには、和紙などの透光材を備えたパネルが取り付けられる。光源の光が透光パネルを通して囲いの外に照らされることにより、室内に種々の照明効果をもたらす。行灯の形状としては角筒形が多く採用されている。
光源には、発熱電球が使用される他、最近では、電球型の蛍光灯やＬＥＤも使用されることもある。
なお、本発明の行灯に関連する先行技術としては、特許文献１および２が公知である。
【先行技術文献】
【特許文献】
【０００３】
【特許文献１】実用新案登録第３１１７７２７号公報
【特許文献２】実用新案登録第３１５２５０７号公報
【発明の概要】
【発明が解決しようとする課題】
【０００４】
しかしながら、上記のような従来の行灯は、長期間、同じ室内の同じ場所で使用していると、囲いの外観や陰影に慣れてきて照明の新鮮味が失われることがある。特別な来客がある場合などに照明効果に変化をもたせたい場合もある。このような場合、光源を替えたり、行灯の設置場所を移動するといった方法が考えられるが、行灯の外観や照明効果が好みの雰囲気にならないことも多い。
【０００５】
また、従来の行灯は、光源となる電球を交換する場合、囲いの上方から手を入れて電球を取り出すのが通常である。このため、交換の作業性を考慮して囲いの高さが低く抑えられることが多くなっている。このような高さの制限から、囲いの高さに自由度をもたせた奇抜なデザインの行灯を製作することが困難になることがあった。
【０００６】
そこで、本発明は、このような現状に鑑みなされたもので、外観や照明効果を自在に変化させることができ、さらには、光源の交換作業を容易に行えるようにした行灯を提供することを目的としている。
【課題を解決するための手段】
【０００７】
［第１発明］
前記課題を解決するための第１発明の行灯は、下記の構成を採用することとした。
すなわち、
光源と、
前記光源が交換可能に設置される土台と、
前記光源の周囲を覆うように前記土台の上に設けられる囲いとを備えた行灯であって、
前記囲いは、
前記土台の上に設けられる箱形の外枠と、
前記外枠の内側に設けられる箱形の内枠と、
前記内枠の前後左右の枠内に取り付けられる二種以上の透光パネルとを備え、
前記囲いの使用時には、前記外枠の上方から複数の前記内枠が着脱可能に落とし込まれることにより、前記外枠の高さ方向に前記内枠が前記透光パネルと一体となって並ぶ構成とした。
【０００８】
このような構成によれば、外枠の上方から内枠を落とし込むときに、内枠の並び順を変えることにより、内枠に取り付けられた透光パネルの位置を切り替えることができる。これにより、透光パネルを通して囲いの外に照らされる照明効果を変化させることができる。また、透光パネルの位置が切り替わることで、囲いのデザインが当初とは異なったものになり、行灯の外観に変化をもたせることも可能になる。
加えて、本発明では、光源を交換する場合、外枠の上方に内枠を持ち上げることにより、外枠の下部の空間を開放することができる。これにより、この空間を通して土台の上に設置された光源の交換作業を簡単に行うことができる。
【０００９】
［第２発明］
第２発明の行灯は、第１発明の構成を備えるものであって、
前記外枠の所定の高さ位置に内向きに組み込まれる外側磁石と、
前記内枠の所定の高さ位置に外向きに組み込まれる内側磁石とを備え、
前記外枠の上方から前記内枠が落とし込まれるとき、前記外側磁石と前記内側磁石との間に作用する磁力によって前記外枠の内側に前記内枠が浮上状態で支持される構成とした。
【００１０】
このような構成によれば、外枠の内側に内枠が浮上状態で支持されるため、囲いの高さ方向に内枠の存在しない空間が生じる。そして、この空間から透光パネルを通さないで光源の光の一部が漏れることになる。これにより、行灯の照明がより明るくなり、室内の雰囲気を変化に富んだものにすることができる。
また、第２発明の構成では、外枠の内側に内枠が磁力によって支持されるため、外枠に内枠を着脱する際に、留め具などの操作が不要で、内枠の並べ替えの作業を簡単に行うことができる。
さらには、外枠に内枠を支持する際に、両者の接触部が疵付きにくく、囲いの耐久性を向上させることができる。
【００１１】
［第３発明］
第３発明の行灯は、第１発明の構成を備えるものであって、
前記外枠の所定の高さ位置に内向きに組み込まれる外側磁石と、
前記内枠の所定の高さ位置に外向きに組み込まれる内側磁石とを備え、
前記外枠の内側に前記内枠が落とし込まれるとき、前記外枠に対して前記内枠が基本位置にある場合には、前記外側磁石と前記内側磁石との間に作用する磁力によって前記外枠の内側に前記内枠が浮上状態で支持される一方、前記内枠が基本位置から前記囲いの中心軸周りに所定の角度だけ回転した変位位置にある場合には、前記外枠の内側に前記内枠が重力によって積載状態で支持される構成とした。
【００１２】
第３発明の構成によれば、外枠の内側に磁力によって内枠を浮上支持することができるから、前述の第２発明と同様な効果を得ることができる。
加えて、第３発明では、前記外枠の内側に前記内枠を落とし込むときに、内枠を基本位置に保つか、変位位置に保つかによって、外枠の内側に内枠を浮上状態で支持するか、積載状態で支持するかを選択することができる。これにより、外枠と内枠との配置を多様に切り替えることが可能になり、照明効果のバリエーションを増やすことができる。
【００１３】
［第１発明〜第３発明］
本発明において、「光源」は、土台の上で交換可能なものであればよく、発熱電球の他、蛍光灯、ＬＥＤなどであってもよい。
本発明における「囲い」は、従来と同様に角筒形のものを採用することができるが、望ましくは、外枠の上方から内枠を異なる回転位置（筒軸方向から見た回転位置）で挿入可能な形状を採用する。具体的には、囲いの筒軸方向から見た形状が正四角形、正三角形等になるものを採用すると、外枠に内枠を落とし込むときの順序や向きのパターンが増えて照明効果のバリエーションを多彩にすることができる。
「二種以上の透光パネル」については、パネルを通して外側に見える光の明るさや陰影が異なるものであればよい。パネル全体が和紙などの透光材からなるものであってもよいし、木材や樹脂などの光を通さない板材に、透光材からなる種々の形状の飾り窓を設けたものであってもよい。透光材の色を変えて「二種以上の透光パネル」としてもよい。
【００１４】
第１発明〜第３発明は、前記課題の解決手段として行灯に適用されるものであるが、これらの発明に本明細書に記載される他の発明を組み合わせることももちろん可能である。
【図面の簡単な説明】
【００１５】
【図１】本発明の実施形態の行灯を示す斜視図である。
【図２】同行灯を示すもので、（Ａ）は天蓋を付けた状態の平面図、（Ｂ）は天蓋を外した状態の平面図である。
【図３】同行灯の外枠および透光パネルを示す斜視図である。
【図４】同行灯の外枠を示す斜視図である。
【図５】同行灯の内枠および透光パネルを示す斜視図である。
【図６】同行灯の内枠および透光パネルを示す組立分解斜視図である。
【図７】同行灯の内枠を示すもので、（Ａ）は平面図、（Ｂ）はＢ部分の拡大図である。
【図８】同外枠の外側磁石を説明するもので、（Ａ）は平面図、（Ｂ）は正面図である。
【図９】同内枠の内側磁石を説明するもので、（Ａ）は平面図、（Ｂ）は正面図である。
【図１０】同内枠が基本位置にあるときの外側磁石と内側磁石との位置関係を示すもので、（Ａ）は平面図、（Ｂ）は正面図である。
【図１１】同内枠が変位位置にあるときの外側磁石と内側磁石との位置関係を示すもので、（Ａ）は平面図、（Ｂ）は正面図である。
【図１２】同内枠の他の使用例を示す正面図である。
【図１３】同外側磁石および内側磁石の変形例を示す平面図である。
【発明を実施するための形態】
【００１６】
以下、本発明の実施形態を図面に基づいて説明する。なお、以下に説明する実施形態は、本発明を適用した行灯の一例であり、これにより発明の概念が限定されるものではない。行灯の各部の構成や配置についても発明の概念の範囲内で種々の形態を採用することができる。
【００１７】
本発明の実施形態による行灯を図１および図２に示した。行灯１は、基本的な構成として、光源としての電球２と、土台３と、囲い４と、天蓋５とを備えている。図２（Ｂ）に示すように、土台３のほぼ中央にソケット（図示省略）が設けられ、このソケットに電球２を着脱可能に取り付けられる。土台３のソケット横には電源コードを取り出すための丸孔３ａが空けられる。土台３の外周に沿って角筒形の囲い４が上方に伸びて電球２の周囲を覆っている。
電球２には、市販の一般的な規格（Ｅ２６口金、Ｅ１７口金、Ｅ１１口金等）のものが採用される。電球２の種類は、白熱電球であってもよいし、電球型の蛍光灯またはＬＥＤであってもよい。
囲い４の最上部には矩形の天蓋５が被せられる。天蓋５の中央には小孔５ａが空けられており、この小孔５ａに手指を掛けることにより、囲い４から天蓋を取り外せるようになっている。
【００１８】
図１に示すように、囲い４は、外枠１０と、２個の内枠２０とを組み合わせて構成される。天蓋５を外した状態で外枠１０の上方から内枠２０が落とし込まれる。外枠１０および内枠２０の前後左右の枠内には、各種の透光パネル１５ａ，１５ｂ（外枠用）、透光パネル２５ａ，２５ｂ（内枠用）が取り付けられる。
【００１９】
これらの透光パネル１５ａ，１５ｂ、透光パネル２５ａ，２５ｂは、矩形の平板に各種形状の飾り窓Ｗを有している。これらの飾り窓Ｗには、透光材として薄手の和紙がパネル内側から貼り付けられる。電球２の光は、これらの透光パネルを通して囲い４の外側に照らされる。
【００２０】
図３に示すように、外枠１０は、ほぼ正方形の土台３の四隅に４本の支柱１１が立ち上げられる。それぞれ支柱１１の下端部に下枠材１２、上端部に上枠材１３がほぼ水平に架け渡されて固定される。同支柱１１の下部であって透光パネル１５ａ，１５ｂの上端付近には、仕切枠材１４がほぼ水平に架け渡されて固定される。
【００２１】
上枠材１３には、囲い４の内周に沿って段差部が形成される。これらの段差部に天蓋５がほぼぴったり収まり、天蓋５の横ズレが防止される。また、段差部の深さにより囲い４の上方に天蓋５が突き突き出ないようになっている。
【００２２】
支柱１１は、チャンネル材（山形鋼）のようにその断面がＬ字形に形成されており、Ｌ字内側の面が囲い４の内側に向けられる。これらの面に沿ってキューブ形の内枠２０が下方に落とし込まれる。外枠１０内に内枠２０が一旦落とし込まれると、支柱１１のＬ字内側の面に遮られて内枠２０が外側に外れることはない。
【００２３】
左右の支柱１１，１１、下枠材１２および仕切枠材１４により囲まれる矩形の枠内には、外枠用の透光パネル１５ａ，１５ｂが嵌め込まれる。これらの透光パネル１５ａ，１５ｂは、後述する内枠用の透光パネル２５ａ，２５ｂと同様に、枠の左右に形成されたスライド溝に沿って上下方向に着脱自在になっている。図４に示すように、透光パネル１５ａ，１５ｂを取り外した状態では、外枠１０の側方に電球２を臨む空間が開放されるようになる。
【００２４】
図５〜図７に内枠２０の構成を示した。なお、図５〜図７には、図１で囲い４の中段に位置する内枠２０を示しているが、上段の内枠２０も実質的な構成は同様である。
図５に示すように、内枠２０は、支柱２１と、下枠材２２と、上枠材２３とを備えている。４本の支柱２１の下端部に下枠材２２、上端部に上枠材２３とが架け渡されてキューブ形をなしている。
【００２５】
左右の支柱２１，２１、下枠材２２および上枠材２３により囲まれる矩形の枠内には、内枠用の透光パネル２５ａ，２５ｂが嵌め込まれる。図７（Ｂ）に示すように、内枠２０の内側に支柱２１の角部２６が突き出ており、この角部２６に透光パネル２５ａ，２５ｂを嵌め込むためのスライド溝Ｒが形成される。スライド溝Ｒに沿って透光パネル２５ａ，２５ｂを上下に移動させることにより、内枠２０への着脱が可能になっている（図６参照）。
なお、スライド溝Ｒは、支柱２１の上端から下端やや上の位置まで延びている。つまり、スライド溝Ｒは、溝上端のみ開放し、溝下端は開放していない。これにより、内枠２０透光パネル２５ａ，２５ｂの着脱は、内枠２０の上方からのみ行える。
【００２６】
外枠用の透光パネル１５ａ，１５ｂおよび内枠用の透光パネル２５ａ，２５ｂの縦横長さは、それぞれ同一サイズに設定されており、これらを嵌め込むためのスライド溝Ｒの長さおよび間隔もそれぞれ同一サイズに設定されている。このため、囲い４の前後左右の面における各透光パネルの配置は、使用者の好みに応じて自在に変更することが可能である。
【００２７】
行灯１を使用する場合には、透光パネル２５ａ，２５ｂを取り付けた２個の内枠２０，２０を外枠１０に上方から順番に落とし込む。こうすることで、外枠１０の内側に内枠２０，２０が透光パネル２５ａ，２５ｂと一体に高さ方向に並ぶことなる。
本実施形態では、外枠１０と内枠２０に磁石を埋め込むことにより、外枠１０の内側で内枠２０が浮上状態で支持されるように構成している。
【００２８】
図８に示すように、外枠１０には、その支柱１１の高さ方向に２箇所、外側磁石Ｇ１，Ｇ１が埋め込まれる（図８（Ｂ）参照）。これらの外側磁石Ｇ１，Ｇ１は、上方から見て一方の対角線上に配置される２本の支柱１１だけに埋め込まれており、他方の対角線上の支柱１１には埋め込まれていない（図８（Ａ）参照）。
一方、内枠２０には、その下枠材２２の長さ方向の端部に内側磁石Ｇ２，Ｇ２が埋め込まれている（図９参照）。これらの内側磁石Ｇ２，Ｇ２は、上方から見て一方の対角線上に端部にだけに埋め込まれており、他方の対角線上の端部には埋め込まれていない（図９（Ａ）参照）。
外側磁石Ｇ１，Ｇ１および内側磁石Ｇ２，Ｇ２は、それぞれ磁力が反発し合う向きに配置される。つまり、外側磁石Ｇ１，Ｇ１の外向きの端面がＳ極であるときは、内側磁石Ｇ２，Ｇ２の内向きの端面がＳ極、外側磁石Ｇ１，Ｇ１の外向きの端面がＮ極であるときは、内側磁石Ｇ２，Ｇ２の内向きの端面がＮ極になるようにそれぞれ外枠１０および内枠２０に埋め込まれている。これらの磁石の種類は特に限定されず、フェライト磁石、金属磁石、プラスチック磁石、ゴム磁石などが採用される。
【００２９】
外枠１０に内枠２０を落とし込む場合、内側磁石Ｇ２，Ｇ２の配置に応じて内枠２０が基本位置または変位位置のいずれかに選択されることになる。
図１０（Ａ）に示すように、外枠１０の外側磁石Ｇ１，Ｇ１が埋め込まれる側の対角線に、内枠２０の内側磁石Ｇ２，Ｇ２が埋め込まれる側の対角線を合わせると（基本位置）、外枠１０の内側で内枠２０が下降するのに伴って外側磁石Ｇ１と内側磁石Ｇ２とが互いに磁力で反発し合う位置まで接近する。
これに対し、図１１（Ａ）に示すように、基本位置の内枠２０をその中心軸周りに９０度回転させた変位位置にすると、外側磁石Ｇ１と内側磁石Ｇ２とが周方向にズレた位置になるため、外枠１０の内側で内枠２０が下降しても、外側磁石Ｇ１と内側磁石Ｇ２の間に磁力はほとんど作用しなくなる。
【００３０】
図１に示す状態で行灯１を使用するときには、まず、最初の内枠２０を基本位置に保って外枠１０の内側に落とし込む。このとき、外側磁石Ｇ１と内側磁石Ｇ２とが互いに向き合う直前の位置に来ると、両者の間で反発し合う磁力によって内枠２０の下降が止まる。これにより、外枠１０の上段の位置に内枠２０が浮上状態で支持される（図１０（Ｂ）参照）。
【００３１】
この状態から内枠２０を下方に押し込んで、外側磁石Ｇ１よりも内側磁石Ｇ２が下に来るようにすると、両者の間の磁力に反して内枠２０が下方に移動し、外枠１０の中段位置に来る。このとき、外枠１０の中段の外側磁石Ｇ１，Ｇ１と内枠２０の内側磁石Ｇ２，Ｇ２とが反発し合うことにより、外枠１０の中段に最初の内枠２０が浮上状態で支持される。
【００３２】
続いて、外枠１０の上段に２個目の内枠２０を基本位置に保って落とし込むと、前述したように、外側磁石Ｇ１と内側磁石Ｇ２との間で反発し合う磁力によって内枠２０の下降が止まる。これにより、外枠１０の上段の位置に２個目の内枠２０が浮上状態で支持される。
このように外枠１０の内側に２個の内枠２０を浮上状態で支持することで、図１に示すような高さ方向に等間隔の空間をもつ行灯１の外観にすることができる。行灯１の点灯時には、これらの隙間からも電球２の光の一部が囲い４の外側に漏れることになる。
【００３３】
図１に示す状態から行灯１の外観および照明効果を変化させるには、内枠２０を基本位置から変位位置に切り替えて外枠１０に落とし込む。こうすることで、外側磁石Ｇ１，Ｇ１と内側磁石Ｇ２，Ｇ２との間に磁力がほとんど作用しなくなり、内枠２０が重力でそのまま下降するようになる。
例えば、中段の内枠２０と上段の内枠２０を共に変位位置に保って外枠１０の内側に落とし込むと、図１１（Ｂ）に示すように、上下段の内枠２０，２０が積載状態で支持されて囲い４の高さ方向の隙間が埋まる。これにより、行灯１の外観とその照明効果を変化させることができる。
【００３４】
行灯１の外観および照明効果を変化させる他の方法としては、図１２（Ａ）および（Ｂ）に示すように、囲い４の中段または上段に内枠２０を１個のみセットするようにしてもよい。この場合、囲い４の隙間から電球２の光が漏れやすくなり、行灯１の照明をより明るくすることができる。
さらには、透光パネル１５ａ，１５ｂおよび２５ａ，２５ｂの配置を換えてもよい。
このように行灯１では、内枠２０の配置と、透光パネル１５ａ，１５ｂおよび２５ａ，２５ｂの配置を選択することにより多様なパターンで行灯１を使用することが可能となる。
外枠１０に内枠２０を着脱する際に、留め具などの操作が不要であるため、内枠２０の並べ替えの作業を簡単に行うことができる。
さらに、外枠１０に内枠２０を支持する際に、両者の接触部が疵付きにくく、囲い４の耐久性を向上させることができる。
【００３５】
さらに行灯１において、電球２の交換作業を行う場合には、外枠１０から内枠２０を引き上げて電球２の直ぐ上の空間を開放することができる。このとき、必要に応じて、透光パネル１５ａ，１５ｂまたは透光パネル２５ａ，２５ｂを取り外してもよい。これにより、電球２を取り外したり付け直したりするために十分な空間が確保されるため、電球２の交換作業を簡単に行うことができる。
交換作業が完了した後に、内枠２０や透光パネル１５ａ，１５ｂ，２５ａ，２５ｂを元の位置に戻す作業も、工具などを用いることなく、手作業で簡単に行えるため面倒にはならない。そして、行灯１の高さが十分にあっても、電球２の交換作業の支障にならないため、その外観をより奇抜なデザインに仕上げることも可能になる。
【００３６】
［変形例］
以上、本発明の実施形態による行灯１を説明したが、本発明の実施形態は、これらの構成に限定されることなく、種々の変形や変更を伴ってもよい。
行灯１では角筒形の囲い４を採用しているが、囲い４の形状は限定されることなく、円筒形やその他の多角形を採用してもよい。
電球２の取付箇所は、土台３に限定されることなく、天蓋５を利用することもできる。例えば天蓋５の裏に下向きのソケットを取り付けることにより、囲い４の内側に電球２を取り付けることができる。
さらに、前述の実施形態では、外側磁石Ｇ１と内側磁石Ｇ２との反発力で内枠２０が浮上状態に支持されるが、両磁石の引き合う力で内枠２０が浮上状態に支持される構成であってもよい。
【００３７】
前述の実施形態では、外側磁石Ｇ１および内側磁石Ｇ２を矩形の対角線のうち一方に沿ってそれぞれ一対設ける構成であるが、図１３に示すように、他方の対角線側に設けてもよい。この場合、内枠２０が基本位置にある場合には（図１３（Ａ））、外側磁石Ｇ１と内側磁石Ｇ２とが向き合うようにし、内枠２０が変位位置にある場合には（図１３（Ｂ））、外側磁石Ｇ１と内側磁石Ｇ２とが交叉する位置関係になるように設定する。このような実施形態によれば、外側磁石Ｇ１と内側磁石Ｇ２との間に作用する磁力が強力になって内枠２０の浮上状態をさらに安定させることができる。
【００３８】
内枠２０の上下の開口部に別の透光パネルを取り付けることもできる。例えば内枠２０の下枠材２２または上枠材２３にスライド溝Ｒを設けることにより、内枠２０の上下に透光パネルを着脱自在に取り付けることができる。内枠２０と透光パネルとを面ファスナにより着脱自在に取り付けてもよい。特に、キューブ形の内枠２０では、外枠１０の内側に内枠２０を落とし込むときに、上記のような内枠２０の上下の透光パネルを前後左右の面に向けることも可能になり、囲い４の変形パターンをより多彩にすることができる。
【符号の説明】
【００３９】
１    行灯
２    電球（光源）
３    土台
４    囲い
５    天蓋
１０    外枠
１１    支柱
１２    下枠材
１３    上枠材
１４    仕切枠材
１５ａ  外枠用の透光パネル
１５ｂ  外枠用の透光パネル
２０    内枠
２１    支柱
２２    下枠材
２３    上枠材
２５ａ  内枠用の透光パネル
２５ｂ  内枠用の透光パネル
２６    支柱２１の角部
Ｒ    スライド溝
Ｇ１  外側磁石
Ｇ２  内側磁石
Ｗ    飾り窓
【図１】
2015122206.tif 000003
【図２】
2015122206.tif 000004
【図３】
2015122206.tif 000005
【図４】
2015122206.tif 000006
【図５】
2015122206.tif 000007
【図６】
2015122206.tif 000008
【図７】
2015122206.tif 000009
【図８】
2015122206.tif 000010
【図９】
2015122206.tif 000011
【図１０】
2015122206.tif 000012
【図１１】
2015122206.tif 000013
【図１２】
2015122206.tif 000014
【図１３】
2015122206.tif 000015